(57)【要約】【課題】従来のネットワーク変圧器の規格を変更しなくても多くの電力を供給することができるネットワーク接続装置を提供する。【解決手段】ネットワーク接続装置１０は、ネットワークシステムからネットワーク信号を送出するトランスモジュール２と、トランスモジュール２に連結され、ネットワークシステムから直流電力信号を送出する電力処理モジュール３とを備えている。トランスモジュール２及び電力処理モジュール３が、｜ＺT−ＺT+L｜≦０.２５ＺT、を満たすように構成され、ＺTとは、トランスモジュール２の電力処理モジュール３と連結されない場合のインピーダンスであり、ＺT+Lとは、トランスモジュール２の電力処理モジュール３と連結された場合の実効インピーダンスである。【選択図】図１
0003193283.tif 000002
【実用新案登録請求の範囲】
【請求項１】
ネットワークシステムに用いられるものであって、
前記ネットワークシステムからのネットワーク信号を送出するトランスモジュールと、
前記トランスモジュールに連結され、前記ネットワークシステムからの直流電力信号を送出する電力処理モジュールと、を備え、
前記トランスモジュール及び前記電力処理モジュールが、｜ＺT−ＺT+L｜≦０.２５ＺT、を満たすように構成され、ＺTとは、前記トランスモジュールの前記電力処理モジュールと連結されない場合のインピーダンスであり、ＺT+Lとは、前記トランスモジュールの前記電力処理モジュールと連結された場合の実効インピーダンスであることを特徴とするネットワーク接続装置。
【請求項２】
前記トランスモジュールには、供給側トランスユニットを設け、該供給側トランスユニットは、
前記ネットワークシステムの前記ネットワーク信号を受信するように前記ネットワークシステムにおけるネットワーク信号生成器に連結されている第１の巻線と、
前記ネットワーク信号を出力するように前記第１の巻線に誘導結合されている第２の巻線とを有することを特徴とする請求項１に記載のネットワーク接続装置。
【請求項３】
前記電力処理モジュールは、前記第２の巻線に連結されていると共に、前記直流電力信号を受信するように前記ネットワークシステムにおける給電器に連結されている送電ユニットを有し、
前記送電ユニットは、前記第２の巻線とにより、前記ネットワーク信号と前記直流電力信号とが結合された電力線信号を生成し、該電力線信号によって前記ネットワーク信号の直流オフセット電圧が変化されることを特徴とする請求項２に記載のネットワーク接続装置。
【請求項４】
前記ＺTとＺT+Lとはそれぞれ、前記第２の巻線について測定されたインピーダンスであり、｜ＺT−ＺT+L｜≦０.１ＺTを満たすように構成されることを特徴とする請求項３に記載のネットワーク接続装置。
【請求項５】
前記送電ユニットは、前記第２の巻線に並列結合された誘導巻線を有することを特徴とする請求項３に記載のネットワーク接続装置。
【請求項６】
前記ネットワーク接続装置は、ネットワーク信号成分と電力信号成分とを含む電力線信号を受信するようになっており、
前記電力処理モジュールは、前記電力線信号から前記電力信号成分を受信して、前記ネットワークシステムにおける受電器に送信するようになっている受電ユニットを有することを特徴とする請求項１に記載のネットワーク接続装置。
【請求項７】
前記トランスモジュールは、受け側トランスユニットを有し、該受け側トランスユニットは、
前記電力線信号を受信するように前記受電ユニットに連結されている第１の巻線と、
前記第１の巻線に誘導結合され、前記ネットワーク信号成分と別に前記電力信号成分を分離して前記電力線信号の前記ネットワーク信号成分を前記ネットワークシステムにおけるネットワーク信号受信器に送信する第２の巻線と、を有することを特徴とする請求項６に記載のネットワーク接続装置。
【請求項８】
前記ＺTとＺT+Lとはそれぞれ、前記第１の巻線について測定されたインピーダンスであり、｜ＺT−ＺT+L｜≦０.１ＺTを満たすように構成されることを特徴とする請求項７に記載のネットワーク接続装置。
【請求項９】
前記受電ユニットは、前記第１の巻線に並列結合された誘導巻線を有することを特徴とする請求項７に記載のネットワーク接続装置。
【請求項１０】
前記トランスモジュールと前記電力処理モジュールとが取付けられて収容されているハウジングを更に備えていることを特徴とする請求項１に記載のネットワーク接続装置。
【請求項１１】
ネットワークシステムにおける給電装置を該ネットワークシステムにおける受電装置に接続するためのものであって、第１のネットワーク接続装置と、第２のネットワーク接続装置とを備え、
前記第１のネットワーク接続装置は、
前記給電装置におけるネットワーク信号生成器からのネットワーク信号を送出する供給側トランスユニットと、
前記給電装置における給電器から直流電力信号を送出するように前記供給側トランスユニットと連結されている送電ユニットと、を有し、
前記第２のネットワーク接続装置は、
前記送電ユニットによって送出された前記直流電力信号を受信すると共に前記直流電力信号を前記受電装置における受電器に送出する受電ユニットと、
前記供給側トランスユニットから前記ネットワーク信号を受信すると共に前記ネットワーク信号を前記受電装置におけるネットワーク信号受信器に送出する受け側トランスユニットと、を有し、
前記送電ユニットと前記供給側トランスユニットとは、｜ＺTs−ＺTs+L｜≦０.２５ＺTsを満たすように構成され、前記ＺTsとは、前記供給側トランスユニットの前記送電ユニットと連結されない場合のインピーダンスであり、前記ＺTs+Lとは、前記供給側トランスユニットの前記送電ユニットと連結された場合の実効インピーダンスであり、
前記受電ユニットと前記受け側トランスユニットとは、｜ＺTr−ＺTr+L｜≦０.２５ＺTrを満たすように構成され、前記ＺTrとは、前記受け側トランスユニットの前記受電ユニットと連結されない場合のインピーダンスであり、前記ＺTr+Lとは、前記受け側トランスユニットの前記受電ユニットと連結された場合の実効インピーダンスであることを特徴とするネットワーク接続システム。
【請求項１２】
前記第１のネットワーク接続装置における前記供給側トランスユニットは、前記ネットワーク信号を受信するように前記ネットワーク信号生成器に連結された第１の巻線と、前記ネットワーク信号を送信するように前記第１の巻線に誘導結合された第２の巻線とを有することを特徴とする請求項１１に記載のネットワーク接続システム。
【請求項１３】
前記送電ユニットは、前記第２の巻線に連結されていると共に、前記直流電力信号を受信するように前記給電器に連結され、
前記送電ユニットは、前記第２の巻線とにより前記ネットワーク信号と前記直流電力信号とが結合された電力線信号を生成し、該電力線信号によって前記ネットワーク信号の直流オフセット電圧が変化されることを特徴とする請求項１２に記載のネットワーク接続システム。
【請求項１４】
前記ＺTSとＺTS+Lとはそれぞれ、前記第２の巻線について測定されたインピーダンスであり、｜ＺTS−ＺTS+L｜≦０.１ＺTSを満たすように構成されることを特徴とする請求項１３に記載のネットワーク接続システム。
【請求項１５】
前記受電ユニットは、ネットワーク信号成分と電力信号成分とを含む前記電力線信号を受信すると共に、前記電力線信号から前記電力信号成分を受信して前記受電器に送信し、
前記受け側トランスユニットは、
前記電力線信号を受信するように前記受電ユニットに連結された第３の巻線と、
前記第３の巻線に誘導結合され、前記ネットワーク信号成分と別に前記電力信号成分を分離して前記電力線信号の前記ネットワーク信号成分を前記ネットワーク信号受信器に送信する第４の巻線とを有することを特徴とする請求項１３に記載のネットワーク接続システム。
【請求項１６】
前記ＺTrとＺTr+Lとはそれぞれ、前記第３の巻線について測定されたインピーダンスであり、｜ＺTr−ＺTr+L｜≦０.１ＺTrを満たすように構成されることを特徴とする請求項１５に記載のネットワーク接続システム。
【請求項１７】
前記送電ユニットと前記受電ユニットとはそれぞれ、前記第１の巻線と前記第３の巻線との一方に並列結合されることを特徴とする請求項１５に記載のネットワーク接続システム。
【考案の詳細な説明】
【技術分野】
【０００１】
（関連出願の相互参照）
本出願は、２０１３年１２月９日に出願された台湾特許出願第１０２１４５１７３号の優先権を主張する。
【０００２】
本考案は、ネットワーク接続装置及びネットワーク接続システムに関し、より詳しくは、パワーオーバーイーサネット（登録商標）（ＰｏＥ／Ｐｏｗｅｒ  ｏｖｅｒ  Ｅｔｈｅｒｎｅｔ（登録商標））ネットワークに用いられるネットワーク接続装置及びネットワーク接続システムに関する。
【背景技術】
【０００３】
ＰｏＥネットワークは、１本のケーブルで、電力をデータと共に供給するようになっている。例えば、ＲＪ（Ｒｅｇｉｓｔｅｒ  Ｊａｃｋ）４５コネクターによって電源装置とパワーデバイスとを相互に連結し、ケーブルを介して、データと電力とを連続的にパワーデバイスに電力を供給する。なお、電源装置は例えばネットワークスイッチであり、パワーデバイスは例えば無線ルーター、ウェブカメラ、ボイス オーバー インターネット プロトコル（ＶｏＩＰ／ｖｏｉｃｅ  ｏｖｅｒ  Ｉｎｔｅｒｎｅｔ  Ｐｒｏｔｏｃｏｌ）デバイスなどである。パワーデバイスは、電源に電気的に接続されなくても、ＰｏＥネットワークによって作動することができる。なお、電源とは、家庭電源出力又は電池などである。
【考案の概要】
【考案が解決しようとする課題】
【０００４】
従来から、電源設備には通常イーサネット（登録商標）変圧器が組み込まれて、データの送信と電力の供給とが行われている。パワーデバイスの機能が多種多様になっている中で、その電力消費量も高くなる。その結果として、電源設備が電力をより大量に供給しなければならなくなる。このように、大量の電力供給を満たすために、イーサネット（登録商標）変圧器における鉄心をもっと大きく作らなければならず、鉄心の直径に応じて銅線コイルももっと大きな直径で巻き付けなければならない。イーサネット（登録商標）変圧器の鉄心や銅線コイルなどのサイズが変わることによってイーサネット（登録商標）変圧器のインダクタンスも変わってしまうため、イーサネット（登録商標）変圧器の等価インピーダンスも変わる。該イーサネット（登録商標）変圧器の等価インピーダンスの変化に応じて、電源設備の等価インピーダンスも新たに設計しなければならない。
【０００５】
本考案は、上記問題点に鑑みてなされたもので、従来のネットワーク変圧器の規格を変更しなくても多くの電力を供給することができるネットワーク接続装置及びネットワーク接続システムを提供することを目的とする。
【課題を解決するための手段】
【０００６】
上記目的を達成するために、一の観点によれば、本考案は、ネットワークシステムに用いられるものであって、前記ネットワークシステムからのネットワーク信号を送出するトランスモジュールと、前記トランスモジュールに連結され、前記ネットワークシステムからの直流電力信号を送出する電力処理モジュールと、を備え、前記トランスモジュール及び前記電力処理モジュールが、｜ＺT−ＺT+L｜≦０.２５ＺT、を満たすように構成され、ＺTとは、前記トランスモジュールの前記電力処理モジュールと連結されない場合のインピーダンスであり、ＺT+Lとは、前記トランスモジュールの前記電力処理モジュールと連結された場合の実効インピーダンスであることを特徴とするネットワーク接続装置を提供する。
【０００７】
また、他の観点によれば、本考案は、ネットワークシステムにおける給電装置を該ネットワークシステムにおける受電装置に接続するためのものであって、第１のネットワーク接続装置と、第２のネットワーク接続装置とを備え、前記第１のネットワーク接続装置は、前記給電装置におけるネットワーク信号生成器からのネットワーク信号を送出する供給側トランスユニットと、前記給電装置における給電器から直流電力信号を送出するように前記供給側トランスユニットと連結されている送電ユニットと、を有し、前記第２のネットワーク接続装置は、前記送電ユニットによって送出された前記直流電力信号を受信すると共に前記直流電力信号を前記受電装置における受電器に送出する受電ユニットと、前記供給側トランスユニットから前記ネットワーク信号を受信すると共に前記ネットワーク信号を前記受電装置におけるネットワーク信号受信器に送出する受け側トランスユニットと、を有し、前記送電ユニットと前記供給側トランスユニットとは、｜ＺTs−ＺTs+L｜≦０.２５ＺTsを満たすように構成され、前記ＺTsとは、前記供給側トランスユニットの前記送電ユニットと連結されない場合のインピーダンスであり、前記ＺTs+Lとは、前記供給側トランスユニットの前記送電ユニットと連結された場合の実効インピーダンスであり、前記受電ユニットと前記受け側トランスユニットとは、｜ＺTr−ＺTr+L｜≦０.２５ＺTrを満たすように構成され、前記ＺTrとは、前記受け側トランスユニットの前記受電ユニットと連結されない場合のインピーダンスであり、前記ＺTr+Lとは、前記受け側トランスユニットの前記受電ユニットと連結された場合の実効インピーダンスであることを特徴とするネットワーク接続システムを提供する。
【考案の効果】
【０００８】
本考案に係るネットワーク接続装置及びネットワーク接続システムは、トランスモジュールを電力処理モジュールに接続した場合の実効インピーダンスが実質上トランスモジュールのインピーダンスと変わらないので、イーサネット（登録商標）変圧器に関連してインピーダンスに大きな変化を取り入れなくても大きな電力を送ることができる。従って、負荷に対して付加のインピーダンス整合を行う必要がなく、負荷の需要に合わせてネットワーク接続装置の給電能力を上げることができる。
【図面の簡単な説明】
【０００９】
【図１】本考案に係るネットワーク接続装置の実施の形態１を概略して示す断面図である。
【図２】図１のネットワーク接続装置を用いたネットワークシステムの接続構成を概略して示す図である。
【図３】本考案に係るネットワーク接続装置の実施の形態２を概略して示す断面図である。
【図４】図３のネットワーク接続装置を用いたネットワークシステムの接続構成を概略して示す図である。
【図５】本考案に係るネットワークシステムの実施の形態３の接続構成を概略して示す図である。
【考案を実施するための形態】
【００１０】
本願考案のその他の特徴および利点は、添付図面を参照して以下に行う詳細な説明によって、より明らかとなろう。各図面に示される同一または同等の構成要素、部材、処理には、同一の符号を付するものとし、適宜重複した説明は省略する。また、実施の形態は、考案を限定するものではなく例示であって、実施の形態に記述されるすべての特徴やその組み合わせは、必ずしも考案の本質的なものであるとは限らない。
【００１１】
（実施の形態１）
図１と図２には、ネットワーク接続装置１０の実施の形態１を示している。このネットワーク接続装置１０は、ネットワークシステム１００に適用され、負荷９と連結されるように構成されている。ネットワークシステム１００は、例えばパワースイッチなどの給電装置或いは電源装置（ＰＳＥ）であり、ネットワーク信号生成器１１と、給電器１２とを備えている。ネットワーク信号生成器１１は、ネットワーク信号を生成するように構成されている。給電器１２は、直流（ＤＣ）電力信号を生成するように構成されている。
【００１２】
負荷９は、受電装置或いはパワーデバイス（ＰＤ）であり、例えば、無線ルーター、ウェブカメラ、ボイス オーバー インターネット プロトコル（ｖｏｉｃｅ  ｏｖｅｒ  Ｉｎｔｅｒｎｅｔ  Ｐｒｏｔｏｃｏｌ  （ＶｏＩＰ）デバイスなどである。ネットワークシステム１００は、ＲＪ（Ｒｅｇｉｓｔｅｒｅｄ  Ｊａｃｋ）４５などのコネクタ（図示せず）によるケーブルを介して負荷９に電気的に連結されると、ネットワーク信号及び直流電力信号がケーブルを介して負荷９に送信される。ネットワーク接続装置１０は、ハウジング４、トランスモジュール２と、電力処理モジュール３とを備えている。
【００１３】
ハウジング４は、トランスモジュール２と電力処理モジュール３とを取付けるように、ベース４１と、ベース４１に対して収容空間４６を画成するように被覆するカバー４２と、ベース４１の収容空間４６内の上面に取付けられている回路基板４３と、回路基板４３に連結されてベース４１側に引き出されている複数の接続ピン４４と、カバー４２に取付けられているコネクタシート４５とを有する。
【００１４】
ベース４１は凹凸状に設けられ、カバー４２とにより収容空間４６を画成するようにカバー４２と互いに接合するように設けられている。回路基板４３は、収容空間４６が上部空間４６１と下部空間４６２とに２分割されるようにベース４１上に取付けられている。複数の接続ピン４４（図１では４本示す）は、回路基板４３がベース４１に対して固定されるように回路基板４３及びベース４１より突き出るように延伸されている。
【００１５】
トランスモジュール２は、図２に示されているように、下部空間４６２に収容されるように取付けられ、供給側トランスユニット２１を設けている。供給側トランスユニット２１は、この実施の形態では、２つの変圧器２１１ａ、２１１ｂを有し、イーサネット（登録商標）変圧器として用いられる。変圧器２１１ａ、２１１ｂはそれぞれ第１の巻線２１２ａ、２１２ｂと、第１の巻線２１２ａ、２１２ｂに誘導結合された第２の巻線２１３ａ、２１３ｂとを有する。変圧器２１１ａと第１の巻線２１２ａとは、ネットワーク信号を受信するようにネットワーク信号生成器１１に連結されている。第２の巻線２１３ａは、第１の巻線２１２ａから受信されたネットワーク信号を出力可能に操作される。変圧器２１１ｂでは、第２の巻線２１３ｂがネットワーク信号を受信して、ネットワーク信号生成器１１に戻すように送信することで、一つのループが形成される。
【００１６】
なお、使用時、第２の巻線２１３ａ、２１３ｂは、固定インダクタンス値を有するように構成される。
【００１７】
電力処理モジュール３は、この実施の形態では、追加成分としてトランスモジュール２に連結され、図１に示されているように、上部空間４６１に収容されるように回路基板４３に実装されている。電力処理モジュール３は、直流電力信号を受信するように給電器１２に連結され、第２の巻線２１３ａ、２１３ｂに連結された送電ユニット３１を有する。
【００１８】
送電ユニット３１は、２つの誘導巻線３１１ａ、３１１ｂ（図１では１つだけ示す）を有する。誘導巻線３１１ａは、第２の巻線２１３ａとにより電力線信号を生成し、負荷９に送出する。特に、電力線信号はネットワーク信号と直流電力信号とが結合して生成され、該電力線信号によってネットワーク信号の直流オフセット電圧が変化される。言い換えると、電力線信号は、ネットワーク信号成分と電力信号成分とを含む。
【００１９】
誘導巻線３１１ｂは、電力線信号を受信することによって１つのループが形成される。この実施の形態では、誘導巻線３１１ａ、３１１ｂは、自動変圧器であるが、従来から知られている誘導素子であってもよい。
【００２０】
誘導巻線３１１ａと３１１ｂとを、トランスモジュール２及び電力処理モジュール３が、｜ＺT−ＺT+L｜≦０.２５ＺT、より好ましくは、｜ＺT−ＺT+L｜≦０.１ＺTを満たすように構成する。なお、ＺTとは、トランスモジュール２の電力処理モジュール３と連結されない場合のインピーダンスであり、ＺT+Lとは、トランスモジュール２の電力処理モジュール３と連結された場合の実効インピーダンスである。より詳しくは、ＺTとＺT+Lとはそれぞれ、第２の巻線２１３ａ、２１３ｂを見たときに測定されたインピーダンス（第２の巻線２１３ａ、２１３ｂについて測定されたインピーダンス）である。
【００２１】
上記関係はいくつかの手法により得られる。例えば、この形態では、第２の巻線２１３ａ、２１３ｂはインダクタンスＬを有する。一例として、誘導巻線３１１ａ、３１１ｂが第２の巻線２１３ａ、２１３ｂよりも十分に大きなインダクタンス、例えば１０Ｌを有するように構成される。この場合、第２の巻線２１３ａ、２１３ｂと誘導巻線３１１ａ、３１１ｂとが並列結合され、インピーダンスＺT+LがインピーダンスＺTにかなり近い値になる。
【００２２】
他例として、第２の巻線２１３ａ、２１３ｂが少し大きめなインダクタンス、例えば１.２Ｌを有する構成とする。この場合、誘導巻線３１１ａ、３１１ｂは、第２の巻線２１３ａ、２１３ｂよりも十分に大きなインダクタンスを有するのではなく、第２の巻線２１３ａ、２１３ｂよりも少し大きめなインダクタンス、例えば３Ｌを有するように構成される。これによって、インピーダンスＺT+LがインピーダンスＺTにかなり近い値になる。
【００２３】
使用中、供給側トランスユニット２１は、ネットワーク信号生成器１１からネットワーク信号を受信して、送電ユニット３１に送信すると共に、負荷９から戻って送信されたネットワーク信号を受信して、ネットワーク信号生成器１１に送信する。給電器１２によって生成された直流電力信号が送電ユニット３１によって受信される。送電ユニット３１が供給側トランスユニット２１とにより、ネットワーク信号と直流電力信号とから電力線信号を生成する。そして、電力線信号が続いて負荷９に送信される。電力線信号の送信の間、トランスモジュール２と電力処理モジュール３との間のインピーダンス関係によって、この形態において例えば、トランスモジュール２を電力処理モジュール３に接続したネットワーク接続装置１０の実効インピーダンスは実質上トランスモジュール２のインピーダンスと変わらない。言い換えれば、電力処理モジュール３は従来のＰＳＥ（イーサネット（登録商標）変圧器を含む）に付加された成分であるので、ネットワーク接続装置１０は、イーサネット（登録商標）変圧器に関連してインピーダンスに大きな変化を取り入れなくても大きな電力を送ることができる。従って、負荷９に対して付加のインピーダンス整合を行う必要がなくなる。
【００２４】
ここでは、ＲＪ４５コネクタは、８Ｐ８Ｃモジュール式プラグに差し込む８本の電線を有し、誘導巻線３１１ａ、３１１ｂは電線を４本取ることに留意されたい。他例として、ネットワーク接続装置１０の給電能力を上げるために他の２つの誘導巻線を更に有してもよい。
【００２５】
簡単に言えば、ネットワーク接続装置１０は、電力処理モジュール３をトランスモジュール２に接続するように用いられ、負荷９の需要に合わせてネットワーク接続装置１０の給電能力を上げることができる。また、電力処理モジュール３は、上部空間４６１に合わせて寸法を変更することができ、ハウジング４は電力処理モジュール３を収容するのにデザイン変更を行う必要がなくなる。
【００２６】
（実施の形態２）
図３と図４には、ネットワーク接続装置１０の実施の形態２を示している。実施の形態２に係るネットワーク接続装置１０は、実施の形態１の構成と類似しているが、ネットワークシステム１００は受電装置或いはパワーデバイスを給電装置（ＰＳＥ）１０１に連結し、電力線信号を受信するようになっている。ネットワークシステム１００は、ネットワーク信号受信器１３と、受電器１４とを備え、電力線信号におけるネットワーク信号成分と電力信号成分とを受信する。
【００２７】
電力処理モジュール３は、２つの誘導巻線３２１ａ、３２１ｂ（図３では１つだけ示す）を設けている受電ユニット３２を有する。誘導巻線３２１ａは、電力線信号から電力信号成分を受信すると共に、受電器１４に送信するようになっている。誘導巻線３２１ｂは、電力信号成分をＰＳＥ１０１に送信する。こうして１つのループが形成される。この実施の形態では、誘導巻線３２１ａ、３２１ｂは、自動変圧器を用いて構成されているが、従来から知られている誘導素子であってもよい。
【００２８】
トランスモジュール２は、２つの変圧器２２１ａ、２２１ｂを設けている受け側トランスユニット２２を有する。２つの変圧器２２１ａ、２２１ｂはそれぞれ、第１の巻線２２３ａ、２２３ｂと、第１の巻線２２３ａ、２２３ｂとに誘導結合された第２の巻線２２４ａ、２２４ｂとを有する。
【００２９】
変圧器２２１ａにおいて、第２の巻線２２４ａは、ネットワーク信号成分と別に電力信号成分を分離すると共に、電力線信号におけるネットワーク信号成分をネットワークシステム１００のネットワーク信号受信器１３へ送信するようになっている。変圧器２２１ｂにおいて、第２の巻線２２４ｂは、ネットワーク信号受信器１３からネットワーク信号を受信すると共に、ネットワーク信号を出力する。こうして、１つのループが形成される。
【００３０】
誘導巻線３２１ａと３２１ｂとを、トランスモジュール２及び電力処理モジュール３が、｜ＺT−ＺT+L｜≦０.２５ＺT、より好ましくは、｜ＺT−ＺT+L｜≦０.１ＺTを満たすように構成する。なお、ＺTとは、トランスモジュール２の電力処理モジュール３と連結されない場合のインピーダンスであり、ＺT+Lとは、トランスモジュール２の電力処理モジュール３と連結された場合の実効インピーダンスである。より詳しくは、ＺTとＺT+Lとはそれぞれ、第１の巻線２２３ａ、２２３ｂを見たときに測定されたインピーダンス（第１の巻線２２３ａ、２２３ｂについて測定されたインピーダンス）である。
【００３１】
上記関係はいくつかの手法により得られる。例えば、この形態では、第１の巻線２１３ａ、２１３ｂはインダクタンスＬ´を有する。一例として、誘導巻線３２１ａ、３２１ｂが第１の巻線２２３ａ、２２３ｂよりも十分に大きなインダクタンス、例えば１０Ｌ´を有するように構成される。この場合、第１の巻線２２３ａ、２２３ｂと誘導巻線３２１ａ、３２１ｂとが並列結合され、インピーダンスＺT+LがインピーダンスＺTにかなり近い値になる。
【００３２】
他例として、第１の巻線２２３ａ、２２３ｂが少し大きめなインダクタンス、例えば１.２Ｌ´を有する構成とする。この場合、誘導巻線３２１ａ、３２１ｂは、第１の巻線２２３ａ、２２３ｂよりも十分に大きなインダクタンスを有するのではなく、第１の巻線２２３ａ、２２３ｂよりも少し大きめなインダクタンス、例えば３Ｌ´を有するように構成される。これによって、インピーダンスＺT+LがインピーダンスＺTにかなり近い値になる。
【００３３】
使用中、ネットワーク接続装置１０は、ＲＪ４５コネクタによるケーブルを介してＰＳＥ１０１に連結されている。ネットワーク接続装置１０は、無線ルーターを用いて構成された場合、電力線信号から電力信号成分を取り入れると、受電ユニット３２が、受電器１４に電力信号成分を送信する。このようにすると、ネットワーク接続装置１０の他の素子に配電することができる。
【００３４】
例えば、ネットワーク接続装置１０は、ネットワーク信号を無線送信可能なアンテナを用いて、近くの電気装置に無線ネットワーク接続するとき、電力処理モジュール３を用いることによって、より多くの電力消費にも対応することができる。
【００３５】
パワーデバイス（ＰＤ）として動作する場合、例えば無線ネットワーク接続などのとき、電力処理モジュール３を用いることによって、トランスモジュール２の構成を変更することなく、より多くの電力を消費するネットワーク接続装置１０を取り入れることができる。
【００３６】
（実施の形態３）
図５には、ネットワーク接続装置１０の実施の形態３を示している。この実施の形態に係るネットワークシステム１００において、給電装置１０１が受電装置１０２に接続されている。
【００３７】
給電装置１０１と受電装置１０２とは、上記の実施の形態と同様に、ＰＳＥとＰＤとを用いて構成される。給電装置１０１は、ネットワーク信号を生成するネットワーク信号生成器１１と、直流電力信号を生成する給電器１２とを有する。受電装置１０２は、ネットワーク信号受信器１３と、受電器１４とを有する。
【００３８】
ネットワーク接続システムは、給電装置１０１と連結された第１のネットワーク接続装置１５と、受電装置１０２と連結された第２のネットワーク接続装置１６とを備えている。第１のネットワーク接続装置１５は、ネットワーク信号生成器１１からのネットワーク信号を送出する供給側トランスユニット２１と、供給側トランスユニット２１に連結され、給電器１２からの直流電力信号を送出する送電ユニット３１とを有する。
【００３９】
第２のネットワーク接続装置１６は、受電ユニット３２と受け側トランスユニット２２とを有する。受電ユニット３２は、送電ユニット３１によって送出された直流電力信号を受信して、受電器１４に送信する。受け側トランスユニット２２は、供給側トランスユニット２１によって送出されたネットワーク信号を受信して、ネットワーク信号受信器１３に送信する。
【００４０】
この実施の形態では、送電ユニット３１と供給側トランスユニット２１とは、｜ＺTs−ＺTs+L｜≦０.２５ＺTsを満たすように構成される。なお、ＺTsとは、供給側トランスユニット２１の送電ユニット３１と連結されない場合のインピーダンスであり、ＺTs+Lとは、供給側トランスユニット２１の送電ユニット３１と連結された場合の実効インピーダンスである。
【００４１】
また、受電ユニット３２と受け側トランスユニット２２とは、｜ＺTr−ＺTr+L｜≦０.２５ＺTr、より好ましくは、｜ＺT−ＺT+L｜≦０.１ＺT、｜ＺTr−ＺTr+L｜≦０.１ＺTrを満たすように構成される。なお、ＺTrとは、受け側トランスユニット２２の受電ユニット３２と連結されない場合のインピーダンスであり、ＺTr+Lとは、受け側トランスユニット２２の受電ユニット３２と連結された場合の実効インピーダンスである。
【００４２】
第１のネットワーク接続装置１５及び第２のネットワーク接続装置１６の操作は、上記の実施の形態１、２に係るネットワーク接続装置１０に似ている。
【００４３】
上記のように、給電装置１０１と受電装置１０２とは、第１のネットワーク接続装置１５及び第２のネットワーク接続装置１６を介して連結され、送電ユニット３１は、ネットワーク信号と電力信号とに基づいて電力線信号を生成して受電ユニット３２に送出するように動作する。そして、受電ユニット３２は、電力線信号から電力信号成分を取り入れて、受電器１４に送信する。受け側トランスユニット２２は、ネットワーク信号成分と別に電力信号成分を分離すると共に、電力線信号におけるネットワーク信号成分をネットワーク信号受信器１３に送信する。
【００４４】
以上により、この実施の形態に係るネットワーク接続システムは、上記関係式を満たすように、送電ユニット３１と受電ユニット３２を追加して設置することにより、インピーダンス整合を行わずに、より多くの電力を給電装置１０１と受電装置１０２との間に送出することができる。
【００４５】
以上、本考案を実施の形態をもとに説明した。これらの実施の形態はあくまで例示であり、実施の形態どうしの任意の組み合わせ、実施の形態の各構成要素や各処理プロセスの任意の組み合わせなどの変形例もまた、本考案の範囲にあることは当業者に理解されるところである。
【符号の説明】
【００４６】
１００  ネットワークシステム
１０１  給電装置
１０２  受電装置
１０  ネットワーク接続装置
１１  ネットワーク信号生成器
１２  給電器
１３  ネットワーク信号受信器
１４  受電器
１５  第１のネットワーク接続装置
１６  第２のネットワーク接続装置
２  トランスモジュール
２１  供給側トランスユニット
２１１ａ、２１１ｂ  変圧器
２１２ａ、２１２ｂ  第１の巻線
２１３ａ、２１３ｂ  第２の巻線
２２  受け側トランスユニット
２２１ａ、２２１ｂ  変圧器
２２３ａ、２２３ｂ  第１の巻線
２２４ａ、２２４ｂ  第２の巻線
３  電力処理モジュール
３１  送電ユニット
３１１ａ、３１１ｂ  誘導巻線
３２  受電ユニット
３２１ａ、３２１ｂ  誘導巻線
４  ハウジング
４１  ベース
４２  カバー
４３  回路基板
４４  接続ピン
４５  コネクタシート
４６  収容空間
４６１  上部空間
４６２  下部空間
９  負荷
【図１】
0003193283.tif 000003
【図２】
0003193283.tif 000004
【図３】
0003193283.tif 000005
【図４】
0003193283.tif 000006
【図５】
0003193283.tif 000007